(57)【要約】【課題】  電子機器のバッテリーチェック方法において無駄なバッテリーチェックシーケンスを廃止することで、バッテリーチェックによる電力消費を低減させる。【解決手段】  バッテリーを電源とする電子機器であって、前記バッテリーを所定の電気抵抗に接続することにより前記バッテリー残量を検出する第１のバッテリー残量検出手段と、前記バッテリーの放電量を積算してバッテリー残量を検出する第２のバッテリー残量検出手段と、前記第２のバッテリー残量検出手段によって求めたバッテリー残量が所定のバッテリー残量より大きい場合には、前記第１のバッテリー残量検出手段を動作させないように制御する制御手段を有する。【選択図】  図２
2008203631.tif 000002
【特許請求の範囲】
【請求項１】
バッテリーを電源とする電子機器であって、
前記バッテリーを所定の電気抵抗に接続することにより前記バッテリー残量を検出する第１のバッテリー残量検出手段と、
前記バッテリーの放電量を積算してバッテリー残量を検出する第２のバッテリー残量検出手段と、
前記第２のバッテリー残量検出手段によって求めたバッテリー残量が所定のバッテリー残量より大きい場合には、前記第１のバッテリー残量検出手段を動作させないように制御する制御手段を有することを特徴とする電子機器。
【請求項２】
残量情報を保持するバッテリーを電源とする電子機器であって、
前記バッテリーを所定の電気抵抗に接続することにより前記バッテリー残量を検出する第１のバッテリー残量検出手段と、
前記バッテリーから前記残量情報を取得する残量情報取得手段と、
前記残量情報取得手段によって取得した残量情報に基づくバッテリー残量が所定のバッテリー残量より大きい場合には、前記第１のバッテリー残量検出手段を動作させないように制御する制御手段を有することを特徴とする電子機器。
【請求項３】
前記電子機器の動作モードを設定する動作モード設定手段を有し、前記残量情報取得手段は、前記動作モード設定手段にて設定された動作モードに応じて、前記残量情報を取得する時間間隔を変更することを特徴とする請求項２に記載の電子機器。
【請求項４】
前記動作モード設定手段は撮影モードを設定するものであって、前記残量情報取得手段は、バルブ撮影モードが設定される場合に、バルブ撮影モード以外の撮影モードが設定されている場合と比較して、前記残量情報を取得する時間間隔が短く設定されることを特徴とする請求項３に記載の電子機器。
【請求項５】
前記バッテリーの温度を検出する温度検出手段を有し、前記所定のバッテリー残量は、前記温度検出手段によって検出されるバッテリー温度に基づいて設定させることを特徴とする請求項１に記ないし４のいずれかに記載の電子機器。
【請求項６】
前記バッテリーの劣化度を検出する劣化度検出手段を有し、前記所定のバッテリー残量は、前記劣化度検出手段によって検出されるバッテリー劣化度に基づいて設定させることを特徴とする請求項１ないし５のいずれかに記載の電子機器。
【請求項７】
前記バッテリーを所定の電気抵抗に接続することにより前記バッテリー残量を検出する第１のバッテリー残量検出手段と、前記バッテリーの放電量を積算してバッテリー残量を検出する第２のバッテリー残量検出手段とを有する電子機器の制御方法であって、
前記第２のバッテリー残量検出手段によって求めたバッテリー残量が所定のバッテリー残量より大きい場合には、前記第１のバッテリー残量検出手段を動作させないように制御することを特徴とする電子機器の制御方法。
【請求項８】
残量情報を保持するバッテリーを所定の電気抵抗に接続することにより前記バッテリー残量を検出する第１のバッテリー残量検出手段と、前記バッテリーから前記残量情報を取得する残量情報取得手段とを有する電子機器の制御方法であって、
前記残量情報取得手段によって取得した残量情報に基づくバッテリー残量が所定のバッテリー残量より大きい場合には、前記第１のバッテリー残量検出手段を動作させないように制御することを特徴とする電子機器の制御方法。
【発明の詳細な説明】
【技術分野】
【０００１】
本発明は、バッテリーからの電力によって動作する電子機器およびその制御方法に関するものである。
【背景技術】
【０００２】
近年、デジタルカメラやデジタルビデオカメラなど、ＣＣＤ等の撮像素子を用い、画像をデータとして記録する撮像装置が数多く市場に出回るようになってきている。デジタルカメラでは、従来記録媒体として使用していた感光フィルムが不要になり、これに代わって半導体メモリカードやハードディスク装置等のデータ記録媒体にデータ化された画像を記録する。これらのデータ記憶媒体はフィルムと違って何度でも書き込み、消去が可能であるので、消耗品に掛かる経費が少なくてすみ大変便利である。
【０００３】
通常、デジタルカメラには、撮影画像を随時表示可能なＬＣＤモニタ装置と、着脱可能な大容量記憶装置が搭載されている。
【０００４】
これらの２つの装置を備えたデジタルカメラを利用すると、従来、消耗品として使用してきた記録媒体であるフィルムが不要になるばかりでなく、撮影した画像をＬＣＤモニタ装置に表示してその場で直ちに確認できる。従って、満足の得られない画像データはその場で消去したり、また必要に応じて再撮影したりすることが撮影現場でも可能となり、フィルムを用いる銀塩写真と比較すると、写真撮影の効率が飛躍的に高まったと言える。
【０００５】
このような利便性と、撮像素子の高画素化などの技術革新により、デジタルカメラの利用範囲は拡大しており、近年では一眼レフ方式などレンズ交換が可能なデジタルカメラも多くなってきている。
【０００６】
一方でＣＰＵやメモリを内蔵、すなわち情報処理機能や情報記憶機能を内部に有し、バッテリー残量等を算出することが可能なバッテリー（以下、インフォバッテリーと称する）が用いられ始めている。バッテリーの残量計算は、バッテリーの放電した電流値を逐次カウントすることによって行われる。このインフォバッテリーをデジタルカメラに用いた場合、撮影可能時間等をきめ細かく把握することが可能となる。
【０００７】
しかしながら、残量計算によって得られるバッテリー残量と実際の測定によって得られるバッテリー残量とが一致しない場合もあり、それによってユーザに混乱を招くような場合が起こり得る。通常のデジタルカメラでは、撮影駆動の可否をバッテリーの電圧によって決定しているが、バッテリー残量の表示をバッテリーから流れた電流値の積算で行っているため、双方の整合性が取れなくなってしまう。例えば、バッテリーの電圧が予め決められた撮影動作を禁止する電圧（禁止電圧という）以下になっているにもかかわらず、残量計算に基づくバッテリーの残量表示が０％でないといった状況が生じ得る。
【０００８】
このような問題点を解決するため、バッテリーの残量と、禁止電圧との間に矛盾が生じないように、バッテリー表示の修正等を行うバッテリーチェック方法が提案されている。この提案では演算によって得られたバッテリー残量値に基づいて残量表示が行われるが、バッテリーの電圧検知の結果、禁止電圧以下と判定された場合は、表示を切替えてカメラが駆動できない禁止電圧以下である旨を知らせる。このような表示方法によって、バッテリー表示によるユーザの無用な混乱を防止するようにしている。（特許文献１）参照
【特許文献１】特開２００２−１１２０７６号公報
【発明の開示】
【発明が解決しようとする課題】
【０００９】
しかしながら、特許文献１のバッテリーチェック方法には下記のような問題点があった。
【００１０】
カメラのバッテリー電圧を検知する方法としては、所定の抵抗値を持ったダミー抵抗に一定量の電流を流すことで電圧を検知する、有負荷バッテリーチェック（有負荷ＢＣと略す）が一般的である。この有負荷のバッテリーチェック方法においてはバッテリーチェックの度に所定の電力が消費されるので、チェック回数が多いとバッテリーの電力消費量を無駄に上げてしまう。
【００１１】
一方、バッテリー残量検知は、バッテリーが放電した電流を所定単位時間ごとに区切って検知し、積算して残容量を演算する。この方法でのバッテリーチェック時の電力の消費は、バッテリー内のＣＰＵによる演算処理と通信に限られるため、電力消費量が少ない。
【００１２】
特許文献１で行われているバッテリーチェック方法では、バッテリー残容量の多少に関わらず、有負荷バッテリーチェックとバッテリー残量検知が常時行われている。このため、バッテリー残量が十分残っている場合でも、有負荷バッテリーチェックを行っているため、無駄に電力を消費しているという問題があった。
【００１３】
本発明は、このような従来技術の問題点に鑑みてされたものであり、バッテリーチェックによって必要以上に電力が消費されることを防止し、かつ機器の動作状態に適したバッテリーチェック動作を行う電子機器を提供することを目的とする。
【課題を解決するための手段】
【００１４】
上記課題を解決するために、本発明は、バッテリーを電源とする電子機器であって、前記バッテリーを所定の電気抵抗に接続することにより前記バッテリー残量を検出する第１のバッテリー残量検出手段と、前記バッテリーの放電量を積算してバッテリー残量を検出する第２のバッテリー残量検出手段と、前記第２のバッテリー残量検出手段によって求めたバッテリー残量が所定のバッテリー残量より大きい場合には、前記第１のバッテリー残量検出手段を動作させないように制御する制御手段を有することを特徴とする。
【００１５】
また、本発明は、残量情報を保持するバッテリーを電源とする電子機器であって、前記バッテリーを所定の電気抵抗に接続することにより前記バッテリー残量を検出する第１のバッテリー残量検出手段と、前記バッテリーから前記残量情報を取得する残量情報取得手段と、前記残量情報取得手段によって取得した残量情報に基づくバッテリー残量が所定のバッテリー残量より大きい場合には、前記第１のバッテリー残量検出手段を動作させないように制御する制御手段を有することを特徴とする。
【発明の効果】
【００１６】
本発明は、バッテリー残量が十分残っている場合には、有負荷バッテリーチェックを行わないように制御するので、無駄に電力を消費することがない。
【発明を実施するための最良の形態】
【００１７】
（第１の実施形態）
以下、図面を参照して本発明をその好適な実施形態に基づき詳細に説明する。
【００１８】
図１は、本発明の第１の実施形態に係る電子機器の一例としてのレンズ交換式デジタルカメラの回路構成例を示すブロック図である。図１に示すように本実施形態のデジタルカメラ２００には、撮影レンズユニット１００が不図示のマウント機構を介し着脱可能に取り付けられる。マウント部には、電気的接点群１０７を有し、デジタルカメラ２００と撮影レンズユニット１００の間で通信を行い撮影レンズのレンズ１０１・絞り１０２の駆動制御を行う。また、デジタルカメラ２００には、バッテリーユニット３００が着脱可能に取り付けられる。双方の接触部には電源接点３０５を有し、デジタルカメラ２００とバッテリーユニット３００の間で電力の供給や通信が行われる。
【００１９】
被写体像からの撮影光束は、撮影レンズ１０１及び光量を調節するための露出手段である絞り１０２を介して、回動可能なクイックリターンミラー２０２に導かれる。クイックリターンミラー２０２の中央部はハーフミラーになっており、クイックリターンミラー２０２がダウンした際に一部の光束が透過する。そして、この透過した光束は、クイックリターンミラー２０２に設置されたサブミラー２０３で反射され、ＡＦセンサ２０４に導かれる。
【００２０】
一方、クイックリターンミラー２０２で反射された撮影光束は、ペンタプリズム２０１、接眼レンズ２０６を介して撮影者の目に至る。
【００２１】
また、クイックリターンミラー２０２がアップした際には、撮影レンズ１０１からの光束は、フィルタ２０９、フォーカルプレーンシャッタ２０８を介してイメージセンサ２１０に至る。フィルタ２０９は２つの機能を有しているもので、１つは赤外線をカットし可視光線のみをイメージセンサ２１０へ導く機能であり、もう１つは光学ローパスフィルタとしての機能である。また、フォーカルプレーンシャッタ２０８は、先幕及び後幕を有して成るもので、撮影レンズ１０１からの光束を透過、遮断を制御する遮光手段である。
【００２２】
なお、クイックリターンミラー２０２のアップ時には、サブミラー２０３は折り畳まれるようになっている。
【００２３】
また、本実施形態のデジタルカメラ２００は、デジタルカメラ全体の制御を司るＣＰＵにより構成されるシステムコントローラ２２３を備え、後述する各部の動作を適宜制御する。
【００２４】
レンズ制御回路１０４は撮影レンズ１０１を光軸方向に移動してピント合わせを行うためのレンズ駆動機構１０３を制御する回路であって、レンズ制御回路１０４はシステムコントローラ２２３に接続されている。絞り制御回路１０６は絞り１０２を駆動するための絞り駆動機構１０５を制御するかいろであって、絞り制御回路１０６はシステムコントローラ２２３に接続されている。ＩＳ制御回路１０９は撮影レンズを駆動させて手ブレを軽減するためのＩＳ駆動機構１０８を制御する回路であって、ＩＳ制御回路１０９はシステムコントローラ２２３に接続されている。シャッタチャージ・ミラー駆動制御回路２１１は、クイックリターンミラー２０２のアップダウンの駆動及びフォーカルプレーンシャッタ２０８のシャッタチャージを制御する回路であって、シャッタチャージ・ミラー駆動制御回路２１１はシステムコントローラ２２３に接続されている。シャッタ制御回路２１２はフォーカルプレーンシャッタ２０８の先幕、後幕の走行を制御するための回路であって、シャッタ制御回路２１２はシステムコントローラ２２３に接続されている。測光回路２０７は接眼レンズ２０６の近傍に配設された測光センサに接続された測光回路であって、測光回路２０７はシステムコントローラ２２３に接続されている。ＥＥＰＲＯＭ２２２はデジタルカメラ２００を制御する上で調整が必要なパラメータが記憶されている不揮発性メモリであって、ＥＥＰＲＯＭ２２２はシステムコントローラ２２３に接続されている。ＤＣＤＣ回路２２４はデジタルカメラの各回路、駆動部に電力を供給する回路であって、ＤＣＤＣ回路２２４はシステムコントローラ２２３に接続されている。
【００２５】
バッテリー側システムコントローラ３０４は、バッテリーの電流・電圧を検出する電流・電圧等回路３０２、バッテリーの各種情報を記憶しているバッテリー側ＥＥＰＲＯＭ３０１およびバッテリー内部の温度を検出する温度検出回路３０３が接続されるコントローラである。バッテリー側システムコントローラ３０４は、電気接点３０５を介してシステムコントローラ２２３に接続されている。
【００２６】
システムコントローラ２２３と前記撮影レンズユニット１００の双方が電子接点群１０７を介して通信を行うことによりレンズの判別が行われている。
【００２７】
測光回路２０７に接続される測光センサは、被写体の輝度を測定するためのセンサであり、その出力は測光回路２０７を経てシステムコントローラ２２３へ供給される。
【００２８】
システムコントローラ２２３は、レンズ駆動機構１０３を制御することにより、被写体像をイメージセンサ２１０上に結像する。
【００２９】
システムコントローラ２２３は、設定されたＡｖ値に基づいて、絞り１０２を駆動する絞り駆動機構１０５を制御し、更に、設定されたＴｖ値に基づいて、シャッタ制御回路２１２へ制御信号を出力する。
【００３０】
フォーカルプレーンシャッタ２０８の先幕、後幕は、駆動源がバネにより構成されており、シャッタ走行後次の動作のためにバネチャージを要する。シャッタチャージ・ミラー駆動機構２１１は、このバネチャージを制御するようになっている。また、シャッタチャージ・ミラー駆動機構２１１によりクリックリターンミラー２０２のアップダウンが行われる。
【００３１】
また、上記システムコントローラ２２３には、画像データコントローラ２２０が接続されている。この画像データコントローラ２２０は、イメージセンサ２１０の制御、イメージセンサ２１０から入力された画像データの補正や加工などをシステムコントローラ２２３の指令に基づいて実行するものである。
【００３２】
タイミングパルス発生回路２１７は、イメージセンサ２１０を駆動する際に必要なパルス信号を出力する回路であって、タイミングパルス発生回路２１７は画像データコントローラ２２０に接続されている。ＡＧＣ２３３は、イメージセンサ２１０と共にタイミングパルス発生回路２１７で発生されたタイミングパルスを受けて、イメージセンサ２１０から出力される被写体像に対応したアナログ信号のゲインを調整する回路であって、ＡＧＣ２３３は画像データコントローラ２２０に接続されている。
【００３３】
Ａ／Ｄコンバータ２１６は、ゲインが調整されたアナログ信号をデジタル信号に変換するための変換器であって、Ａ／Ｄコンバータ２１６は画像データコントローラ２２０に接続されている。ＤＲＡＭ２２１は、Ａ／Ｄコンバータ２１６から得られた画像データ（デジタルデータ）を一時的に記憶しておくメモリであって、ＤＲＡＭ２２１は画像データコントローラ２２０に接続されている。ＤＲＡＭ２２１は、加工や所定のフォーマットへのデータ変換が行われる前の画像データを一時的に記憶するために使用される。
【００３４】
さらに、画像データコントローラ２２０には、Ｄ／Ａコンバータ２１５及び画像圧縮回路２１９とが接続されている。Ｄ／Ａコンバータ２１５には、エンコーダ回路２１４を介して画像表示回路２１３が接続される。更に、画像圧縮回路２１９には、画像データ記録メディア２１８が接続される。
【００３５】
測光回路２０７にて測光を行い、システムコントローラにて露出値を決定し、その露出値に基づいて算出されたＴｖ値が所定の値（１／レンズの焦点距離）以下であった場合、所定の値（１／レンズの焦点距離）以上になるようＡＧＣ２３３にてゲインアップを行うことができる。
【００３６】
システムコンローラ２２３は画像データコントローラ２２０を介し、画像圧縮回路２１９に信号を送ることにより、画像の形式と圧縮率の設定を行うことができる。ここで画像は合焦位置を見分けるのに十分な画質であり、かつ、容量が必要以上に大きくならない程度に圧縮される。一般的にカメラはＲＡＷ形式、ＪＰＥＧ形式の両方の形式で画像を記憶することができ、かつＪＰＥＧ形式の時には圧縮率を高、中、低の３段階の中から選択することができる。
【００３７】
画像表示回路２１３は、イメージセンサ２１０で撮像された画像データを表示するための回路であり、一般にはカラーの液晶表示素子により構成される。
【００３８】
画像データコントローラ２２０は、ＤＲＡＭ２２１上の画像データを、Ｄ／Ａコンバータ２１５によりアナログ信号に変換してエンコーダ回路３１へ出力する。エンコーダ回路３１はこのＤ／Ａコンバータ２１５の出力を、上記画像表示回路２１３を駆動する際に必要な映像信号（例えばＮＴＳＣ信号）に変換する。
【００３９】
画像圧縮回路２１９は、ＤＲＡＭ２２１に記憶された画像データの圧縮や変換（例えばＪＰＥＧ）を行うための回路である。変換された画像データは、画像データ記録メディア２１８へ格納される。この記録メディアとしては、ハードディスク、フラッシュメモリ、フロッピー（登録商標）ディスク等が使用される。
【００４０】
電源スイッチ２３４はデジタルカメラ２００の電源のＯＮ、ＯＦＦを切替えるスイッチであって、電源スイッチ２３４はシステムコントローラ２２３に接続される。
【００４１】
動作表示デバイス２２５は、動作モードの情報や露出情報（シャッタ秒時、絞り値等）の表示を行うための表示器であって、動作表示デバイス２２５はシステムコントローラ２２３に接続される。第１レリーズスイッチ２３１は測光・測距などの撮影準備動作を開始させるためのスイッチで、第１レリーズスイッチ２３１はシステムコントローラ２２３に接続される。
【００４２】
第２レリーズスイッチ２３０は撮像動作を開始させるためのスイッチで、システムコントローラ２２３に接続される。モード設定スイッチ２２９は、ユーザが所望の動作を当該デジタルカメラに実行させるべく撮影モードを設定するスイッチで、システムコントローラ２２３に接続される。
【００４３】
選択スイッチ２２８は各種選択パラメータの中から所望のものを選択するためのスイッチで、システムコントローラ２２３に接続される。決定スイッチ２２７は、選択されたパラメータを決定するためのスイッチで、システムコントローラ２２３に接続される。
【００４４】
さらに、システムコントローラ２２３に回転動作によりパラメータをアップダウンさせて表示する電子ダイヤルスイッチ２２６とが接続されている。
【００４５】
２３２はストロボであり、ＡＦ補助光の投光機能、ストロボ調光機能も有する。
【００４６】
ＤＣＤＣ回路２２４には所定の抵抗値を持ったダミーロード２３５がストロボ２３２に電気的信号で信号を送ることによってストロボ２３２の投光を禁止することができる。
【００４７】
なお、システムコントローラ２２３が撮影画像データに撮影状況の情報を添付し、これを読取ることによってデータの分類を行うことができる。
【００４８】
ＤＣＤＣ回路２２４はデジタルカメラ２００の各回路に電力を供給する回路である。ＤＣＤＣ回路２２４には所定の抵抗値を持ったダミーロード２３５が接続されている。ＤＣＤＣ回路２２４はダミーロード２３５に所定の電流値で電流を流し、このときのバッテリー電圧の降下量を検知することで、バッテリーの電圧値を検出することができる。検出された電圧値をカメラ側ＥＥＰＲＯＭ２２２に記憶された所定の電圧値と比較することで、デジタルカメラ２００が駆動可能な電圧か否かを判定する。このような動作を有負荷バッテリーチェック（以下、有負荷ＢＣと略す）という。
【００４９】
検出された電圧値をカメラ側ＥＥＰＲＯＭ２２２に記憶された所定の電圧値と比較することで、カメラ２００が駆動可能な電圧か否かを判定することが可能である。また、ＤＣＤＣ回路２２４は電源接点３０５を介してバッテリー本体３０１と接続されており、ＤＣＤＣ回路２２４はバッテリー本体３０１から電力の供給を受けている。
【００５０】
バッテリー側システムコントローラ３０４は温度検出回路３０３とバッテリー側ＥＥＰＲＯＭ３０１と電流・電圧検出回路３０２と接続されている。温度検出回路３０３はバッテリーユニット３００の温度を検知し、これを逐次バッテリー側システムコントローラ３０４に電気信号として伝えている。バッテリー側ＥＥＰＲＯＭはバッテリーの種類、製造番号などの各種情報、バッテリーの総容量、バッテリーの残容量等の諸元値を記憶している。電流・電圧検出回路３０２は放電時と充電時にバッテリー本体３０１から入出力される電流・電圧値を逐一検知し、検知結果をバッテリー側システムコントローラ３０４へ電気信号として伝えている。
【００５１】
図２は、図１のデジタルカメラ２００の電源スイッチ２３２をオンにしたときのバッテリーチェック動作を説明するフローチャートである。同図に示すように、デジタルカメラ２００の電源スイッチ２３２がＯＮされると、ステップＳ１０１にてバッテリー残量検知通信が開始される。バッテリー残量検知通信はカメラ側システムコントローラ２２３とバッテリー側システムコントローラ３０４とが、電源接点３０５を介して通信される。バッテリー残量検知通信ではカメラ側システムコントローラ２２３にバッテリー３００のバッテリーの種類、製造番号などの各種情報、バッテリーの総容量、バッテリーの残容量、充放電のサイクル数などが通信される。
【００５２】
電流・電圧検出回路３０２によってバッテリー本体３０１が充電完了時から放電した電流値を検出する。バッテリー側システムコントローラ３０４が電流・電圧検出回路３０２によって検出した電流値を積算して、電流積算値を充電完了時のバッテリー残容量から減じることでバッテリー残量を求める。
【００５３】
ステップＳ１０１においてバッテリー残量検知通信が行われると、ステップＳ１０２へ進み、バッテリーの劣化度検知が行われる。本実施形態において、バッテリー劣化度はステップＳ１０１にて通信される充放電のサイクル数によって決められる。
【００５４】
バッテリー本体３０１の充電容量は電流・電圧検出回路３０２が充電時の電流値を検知し続け、バッテリー側システムコントローラ３０４がその電流値を積算して求められる。これら劣化度に関する演算はバッテリー側システムコントローラ３０４によって行われる。
【００５５】
ステップＳ１０２においてバッテリー劣化度検知が行われると、ステップＳ１０３へ進み、バッテリー内部の温度検知が行われる。本実施形態において、バッテリー劣化度は充放電のサイクル数によって決められる。
【００５６】
バッテリー内部の温度検知はバッテリー３００に備えられる温度検出回路３０３によって行われる。温度検出回路はバッテリー内部の温度を検知し、検知した温度情報を電気信号としてバッテリー側システムコントローラに３０４伝える。
【００５７】
ステップＳ１０３においてバッテリー内部の温度検知が行われると、ステップＳ１０４へ進み、有負荷ＢＣ開始残量閾値を決定する。ステップＳ１０１のバッテリー残量検知通信にて通信されるバッテリーの総容量の５０％の値を標準的な有負荷ＢＣ開始残量閾値としている。
【００５８】
例えば、バッテリーの総容量が２０００ｍＡｈである場合には、標準的な有負荷ＢＣ開始残量閾値は１０００ｍＡｈとなる。バッテリー残量検知通信によって、バッテリー残量が１０００ｍＡｈ以下になると、有負荷ＢＣを行うバッテリーチェックシーケンスに切替えるように構成する。このバッテリーシーケンスに切替えるバッテリー残量値は、以後、有負荷ＢＣ開始残量閾値Ｘと称する。この有負荷ＢＣ開始残量閾値はステップＳ１０２とステップＳ１０３にて検知されたバッテリー劣化度とバッテリー内部の温度によって補正され決定される。
【００５９】
本実施形態では、バッテリー劣化度による補正はサイクル数によって有負荷ＢＣ開始残量閾値の補正行う。
【００６０】
サイクル数が１００未満である場合には、標準的な有負荷ＢＣ開始残量閾値に対して補正しない。サイクル数が１００以上１５０未満である場合には、標準的な有負荷ＢＣ開始残量閾値であるバッテリーの総容量の５０％の値に対して、バッテリーの総容量の１０％だけ加算して、有負荷ＢＣ開始残量閾値をバッテリーの総容量の６０％の値とする。同様に、サイクル数が１５０以上２５０未満である場合には、標準的な有負荷ＢＣ開始残量閾値であるバッテリーの総容量の５０％の値に対して、バッテリーの総容量の１５％だけ加算して、有負荷ＢＣ開始残量閾値をバッテリーの総容量の６５％の値とする。サイクル数が２５０以上である場合には、標準的な有負荷ＢＣ開始残量閾値であるバッテリーの総容量の５０％の値に対して、バッテリーの総容量の２５％だけ加算して、有負荷ＢＣ開始残量閾値をバッテリーの総容量の７５％の値とする。このようにバッテリーの劣化度が高くなるにつれ、有負荷ＢＣ開始残量閾値を高くするように補正する。これはバッテリーの劣化度が高いと、バッテリー本体に３０１に充電できる容量が少なくなってしまうためである。
【００６１】
また、温度による有負荷ＢＣ開始残量閾値は、以下のように行う。
【００６２】
ステップＳ１０３で検知したバッテリー温度が０℃以上である場合には、温度による有負荷ＢＣ開始残量閾値の補正は行わない。ステップＳ１０３で検知したバッテリー温度が０℃未満−１０℃以上である場合には、標準的な有負荷ＢＣ開始残量閾値であるバッテリーの総容量の５０％の値に対して、バッテリーの総容量の２５％だけ加算して、有負荷ＢＣ開始残量閾値をバッテリーの総容量の７５％の値とする。ステップＳ１０３で検知したバッテリー温度が−１０℃未満である場合には、標準的な有負荷ＢＣ開始残量閾値であるバッテリーの総容量の５０％の値に対して、バッテリーの総容量の５０％だけ加算して、有負荷ＢＣ開始残量閾値をバッテリーの総容量の１００％の値とする。すなわち、バッテリー温度が−１０℃未満である場合には、バッテリー残量および劣化度に関わらず有負荷ＢＣを行うこととなる。
【００６３】
バッテリーの劣化度による有負荷ＢＣ開始残量閾値の補正とバッテリーの温度による有負荷ＢＣ開始残量閾値の補正は、加算される。例えば、サイクル数が１２０で温度が−５℃である場合には、劣化度による補正によって１０％加算され、温度による補正によって２５％加算される。したがって、合計して標準的な有負荷ＢＣ開始残量閾値であるバッテリーの総容量の５０％の値に対して、３５％加算され、バッテリーの総容量の８５％の値が有負荷ＢＣ開始残量閾値となる。
【００６４】
また、バッテリー内部の温度が低くなるにつれ、有負荷ＢＣ開始残量閾値が高くなるように補正する。これはバッテリー内部の温度が低くなると、バッテリーの放電できる電圧が低くなってしまい、バッテリー残量が残っていても、カメラの駆動が行えない場合が発生するためである。
【００６５】
ステップＳ１０４にて有負荷ＢＣ開始残量閾値を決定されると、ステップＳ１０５へ進み、バッテリー残量の判定が行われる。バッテリー残量の判定はステップＳ１０４にて決定された有負荷ＢＣ開始残量閾値とステップＳ１０１でバッテリー側システムコントローラ３０４と通信して得られらバッテリー残量値とを比較することで行われる。
【００６６】
ステップＳ１０５にてバッテリー残量の判定が行われ、バッテリー残量が有負荷ＢＣ開始残量閾値よりも少ないと検知されるとステップＳ１０６に進み、有負荷ＢＣ設定が行われる。有負荷ＢＣの設定はカメラ側システムコントローラ２２３にて行われる。この設定がなされるとバッテリーチェックが、バッテリー残量検知だけでなく有負荷ＢＣでも行われるようになる。
【００６７】
ステップＳ１０６にて有負荷ＢＣ設定が行われると、カメラ２００が撮影動作に入れるように所定のシーケンスが行われ、撮影シーケンスに移行する。
【００６８】
なお、ステップＳ１０５のバッテリー残量検知にて、バッテリー残量が有負荷ＢＣ開始残量閾値よりも多いと判定されると、有負荷ＢＣ設定は行わず、そのまま撮影シーケンスへ移行する。
【００６９】
図３は図１のデジタルカメラ２００にて撮影動作を行うときのバッテリーチェック動作を説明するフローチャートである。なお、電源スイッチ２３４がＯＮされ、図２に示した電源投入時シーケンスの後、撮影シーケンスへ移行する。
【００７０】
ステップＳ２０１へ進み、第１レリーズスイッチ２３１がＯＮされているか否かを判定する。第１レリーズスイッチ２３１がＯＮされたか否かは、カメラ側システムコントローラ２２３によって判定される。
【００７１】
ステップＳ２０１にて第１レリーズスイッチ２３１がＯＮされたと判定すると、ステップＳ２０２へ進み、バッテリー残量検知通信を行う。ステップＳ２０２のバッテリー残量検知通信は前述したステップＳ１０１と同様に、バッテリーの残容量の情報が、バッテリー側システムコントローラ３０４からの電源接点３０５を介し、カメラ側システムコントローラ２２３へ通信される。
【００７２】
ステップＳ２０２にてバッテリー残量検知通信が行われると、ステップＳ２０３へ進み、バッテリー残量の判定を行う。ステップＳ２０３のバッテリー残量の判定ではステップＳ１０４で決定された有負荷ＢＣ開始残量閾値とステップＳ２０２でバッテリー側システムコントローラ３０４と通信して得られたバッテリー残量値とを比較することで行われる。
【００７３】
ステップＳ２０３にてバッテリー残量の判定が行われ、バッテリー残量値が有負荷ＢＣ開始残量閾値より少ないと判定されると、ステップＳ２０４へ進み、有負荷ＢＣ設定が行われる。有負荷ＢＣの設定はカメラ側システムコントローラ２２３にて行われる。この設定がなされるとバッテリーチェックが、バッテリー残量検知だけでなく有負荷ＢＣでも行われるようになる。
【００７４】
ステップＳ２０４において有負荷ＢＣの設定が行われると、ステップＳ２０５へ進み、第２レリーズスイッチ２３０がＯＮされたか否かを判定する。第２レリーズスイッチ２３０がＯＮされたか否かは、カメラ側システムコントローラ２２３によって判定される。
【００７５】
ステップＳ２０５にてレリーズスイッチ（２３０）がＯＮされたと判定すると、ステップＳ２０６へ進み、有負荷ＢＣの設定がなされているか否かを判定する。有負荷ＢＣの設定がされているか否かは、カメラ側システムコントローラ２２３によって判定される。
【００７６】
ステップＳ２０６にて有負荷ＢＣが設定されていると判定されると、ステップＳ２０７へ進み、有負荷ＢＣを行う。有負荷ＢＣはＤＣＤＣ回路２２４に接続されたダミーロード２３５に所定の電流値で電流を流し、このときのバッテリー電圧の降下量を検知することで、バッテリーの電圧値を検出する。検出された電圧値をカメラ側ＥＥＰＲＯＭ２２２に記憶された所定の電圧値と比較することで、カメラ２００が駆動可能な電圧か否かを判定する。
【００７７】
ステップＳ２０７にて有負荷ＢＣが行われた結果、カメラ２００が駆動可能な電圧であると判定されると、撮影駆動シーケンスへ進み、クリックリターンミラー２０２のアップ、フォーカルプレーンシャッタ２０８の開閉、イメージセンサ２１０からの信号読み出しなどの所定のシーケンスを行い、被写体（不図示）の撮影を行う。
【００７８】
なお、ステップＳ２０３にてバッテリー残量の判定が行われ、バッテリー残量値がステップＳ１０４にて決定した有負荷ＢＣ開始残量閾値より多いと判定されると、ステップＳ２０４の有負荷ＢＣ設定を行わずにステップ２０５へ進み、第２レリーズスイッチ２３０のＯＮ判定をおこなう。
【００７９】
なお、ステップＳ２０７にて有負荷ＢＣが行われた結果、カメラ２００が駆動可能な電圧でないと判定されると、ステップＳ２１１へ進み、撮影駆動の禁止を行う。撮影駆動の禁止はカメラ側システムコントローラ２２３によって行われ、第１レリーズスイッチ２３１や第２レリーズスイッチ２３０等の操作部材が操作されても、信号を受け付けないようにする。
【００８０】
ステップＳ２１１にて撮影駆動の禁止が行われると、ステップＳ２１２に進み、ユーザに対して撮影が禁止されている旨を伝える警告表示がなされる。警告表示は表示デバイス２２５に表示される。
【００８１】
本実施形態によれば、バッテリー残量に応じてバッテリー残量判定と電源電圧判定とのバッテリーチェックシーケンスを切替えるようにしたので、必要のないバッテリーチェックを省略することができ、また、バッテリーチェックにかかる電力消費量を低減することができた。
【００８２】
本実施形態によれば、バッテリーの劣化度に応じてバッテリーチェックシーケンスを切替えるバッテリー残量値を補正するようにしたので、各々のバッテリー劣化度に対応したバッテリーチェックが設定できるようになり、バッテリーチェックの正確性を向上することができた。
【００８３】
本実施形態によれば、バッテリーの内部温度に応じてバッテリーチェックシーケンスを切替えるバッテリー残量値を補正するようにしたので、各々のバッテリー内部の温度に対応したバッテリーチェックが設定できるようになり、バッテリーチェックの正確性を向上することができた。
【００８４】
本実施形態によれば、所定のバッテリー残量以下にならなければ電源電圧判定のバッテリーッチェックを行わないようにしたので、電源電圧判定による電力消費を低減させることができた。
【００８５】
（第２の実施形態）
図４、５は本発明の第２の実施形態であるデジタルカメラの動作を説明する図である。デジタルカメラの構成は図１にて説明した第１の実施形態と同様であるので、説明を省略する。図４のデジタルカメラ２００の電源スイッチ２３２をオンにしたときのバッテリーチェック動作を説明するフローチャートである。
【００８６】
デジタルカメラ２００の電源スイッチ２３２がＯＮされると、ステップＳ３０１にて撮影モードがバルブ撮影モードであるか否かが判定される。撮影モードの変更はモード設定スイッチ２２９によって行われ、撮影モードの選択結果はカメラ側システムコントローラ２２３によって常に検知される。
【００８７】
ステップＳ３０１にて撮影モードがバルブ撮影モードであると判定されると、ステップＳ３０２に進み、ＢＣ（バッテリーチェック）シーケンスの変更が行われる。ＢＣシーケンスの変更はバルブ撮影モードと他の撮影モード時とで異なるシーケンスにてバッテリーチェックが行われるように設定するものである。
【００８８】
ステップＳ３０２にてＢＣシーケンスの変更が行われると、ステップＳ３０３へ進み、バッテリー残量検知通信を行う。ステップＳ３０３のバッテリー残量検知通信は前述したステップＳ１０１、ステップＳ２０２と同様に、バッテリーの残容量の情報を、バッテリー側システムコントローラ３０４からの電源接点３０５を介し、カメラ側システムコントローラ２２３へ通信することで行われる。
【００８９】
ステップＳ３０３にてバッテリー残量検知通信が行われると、ステップＳ３０４にてバッテリー劣化度検知が行われる。バッテリー劣化度検知は前述のステップＳ１０２と同様に行われる。本実施形態において、バッテリー劣化度はステップＳ３０３にて通信される充放電のサイクル数によって決められる。なお、バッテリー本体３０１の充電容量は電流・電圧検出回路３０２が充電時の電流値を検知し続け、その電流値を積算して求められる。これら劣化度に関する演算はバッテリー側システムコントローラ３０４によって行われる。
【００９０】
ステップＳ３０４にてバッテリー劣化度検知が行われると、バッテリーのサイクル数を取得してステップＳ３０５へ進む。ステップＳ３０５ではバッテリーの内部の温度検知が行われる。バッテリー内部の温度検知は、前述のステップＳ１０３と同様に、バッテリー３００に備えられる温度検出回路３０３によって行われる。温度検出回路はバッテリー内部の温度を検知し、検知した温度情報を電気信号としてバッテリー側システムコントローラに３０４伝える。
【００９１】
ステップＳ３０５にてバッテリー内部の温度検知が行われると、ステップＳ３０６にて残量検知通信間隔時間を決定する。本実施形態ではバルブ撮影モード時にバッテリー残量検知通信を所定の時間ごとに行うが、ステップ３０６ではバッテリー残量検知通信を行う時間間隔を決定する。
【００９２】
このバッテリー残量検知通信を行う時間間隔は、以下、残量検知通信間隔時間と称する。この残量検知通信間隔時間はステップＳ３０４とステップＳ３０５にて検知されたバッテリー劣化度とバッテリー内部の温度によって補正され決定される。
【００９３】
本実施形態では標準的な残量検知通信間隔時間を３００秒（５分）と設定している。そして、劣化度による残量検知通信間隔時間の補正は、以下のようになっている。サイクル数が１００未満である場合には、標準的な残量検知通信間隔時間に対して補正しない。サイクル数が１００以上１５０未満である場合には、標準的な残量検知通信間隔時間である３００秒に対して、３０秒だけ減算する。同様に、サイクル数が１５０以上２５０未満である場合には、標準的な残量検知通信間隔時間である３００秒に対して、６０秒だけ減算する。サイクル数が２５０以上である場合には、標準的な残量検知通信間隔時間である３００秒に対して、９０秒だけ減算する。このようにバッテリーの劣化度が高くなるにつれ、残量検知通信間隔時間が短くなるように補正する。これはバッテリーの劣化度が高いと、バッテリー本体に３０１に充電できる容量が少なくなってしまうので、バッテリー劣化度が低い時よりも、短い間隔でバッテリー残量を検知することが必要なためである。
【００９４】
また、温度による有負荷ＢＣ開始残量閾値は、以下のように行う。
【００９５】
ステップＳ３０５で検知したバッテリー温度が０℃以上である場合には、温度による残量検知通信間隔時間の補正は行わない。ステップＳ３０５で検知したバッテリー温度が０℃未満−１０℃以上である場合には、標準的な残量検知通信間隔時間である３００秒に対して、３０秒だけ減算する。ステップＳ３０５で検知したバッテリー温度が−１０℃未満である場合には、標準的な残量検知通信間隔時間である３００秒に対して、６０秒だけ減算する。このように、バッテリー内部の温度が低くなるにつれ、残量検知通信間隔時間を短くなるように補正する。これはバッテリー内部の温度が低くなると、バッテリーの放電できる電圧が低くなってしまい、カメラが駆動可能な電圧を放電できる時間が短くなるためである。
【００９６】
バッテリーの劣化度による有残量検知通信間隔時間の補正とバッテリーの温度による残量検知通信間隔時間の補正は、ともに減算される。例えば、サイクル数が１２０で温度が−５℃である場合には、劣化度による補正によって３０秒減算され、温度による補正によって３０秒減算される。したがって、合計して標準的な残量検知通信間隔時間である３００秒に対して、６０秒減算され、残量検知通信間隔時間は、２４０秒となる。
【００９７】
ステップＳ３０７にて残量検知通信間隔時間が決定されると、ステップＳ３０７へ進み、有負荷ＢＣ開始残量閾値が決定される。有負荷ＢＣ開始残量閾値は前述のステップＳ１０４と同様に行われ、ステップＳ３０４とステップＳ３０５にて検知されたバッテリー劣化度とバッテリー内部の温度によって補正され決定される。（第１の実施形態と同様であるため説明を省略する。）
ステップＳ３０７にて有負荷ＢＣ開始残量閾値が決定されるとステップＳ３０８へ進み、バッテリー残量の判定を行う。ステップＳ３０７のバッテリー残量の判定では、前述したステップＳ１０５、ステップ２０３と同様に、ステップＳ３０７にて決定された有負荷ＢＣ開始残量閾値とステップＳ３０４でバッテリー側システムコントローラ３０４と通信して得られたバッテリー残量値とを比較することで行われる。
【００９８】
ステップＳ３０８にてバッテリー残量の判定が行われ、バッテリー残量値が有負荷ＢＣ開始残量閾値より少ないと判定されると、ステップＳ３０９へ進み、有負荷ＢＣ設定が行われる。有負荷ＢＣの設定はカメラ側システムコントローラ２２３にて行われる。この設定がなされるとバッテリーチェックが、バッテリー残量検知だけでなく有負荷ＢＣでも行われるようになる。
【００９９】
ステップ３０９にて有負荷ＢＣの設定が行われると、カメラ２００がバルブ撮影動作に入れるように所定のシーケンスを行い、バルブ撮影シーケンスへ移行する。
【０１００】
図５はデジタルカメラ２００にてバルブ撮影動作を行うときのバッテリーチェック動作を説明するフローチャートである。
【０１０１】
バルブ撮影シーケンスが開始されると、ステップＳ４０１へ進み、第１レリーズスイッチ２３１がＯＮされているか否かを判定する。第１レリーズスイッチ２３１がＯＮされたか否かは、カメラ側システムコントローラ２２３によって判定される。
【０１０２】
ステップＳ４０１にて第１レリーズスイッチ２３１がＯＮされていると判定されると、ステップＳ４０２へ進み、第２レリーズスイッチ２３０がＯＮされているか否かを判定する。第２レリーズスイッチ２３０がＯＮされたか否かは、カメラ側システムコントローラ２２３によって判定される。
【０１０３】
ステップＳ４０２にて第２レリーズスイッチ２３０がＯＮされていると判定されると、ステップＳ４０３へ進み、有負荷ＢＣが設定されているか否かを判定する。有負荷ＢＣの設定がされているか否かは、カメラ側システムコントローラ２２３によって判定される。
【０１０４】
ステップＳ４０３にて有負荷ＢＣが設定されていると判定されると、ステップＳ４０４へ進み、バルブ撮影駆動が開始される。バルブ撮影駆動はクリックリターンミラー２０２のアップ、フォーカルプレーンシャッタ２０８の先幕走行等の撮影駆動を行う。
【０１０５】
ステップＳ４０４にてバルブ撮影駆動が行われると、ステップＳ４０５へ進み、バッテリー残量検知通信が行われる。ステップＳ４０５のバッテリー残量検知通信は前述したステップＳ１０１、ステップＳ２０３、ステップＳ３０８と同様に、バッテリーの残容量の情報が、バッテリー側システムコントローラ３０４からの電源接点３０５を介し、カメラ側システムコントローラ２２３へ通信される。
【０１０６】
ステップＳ４０５にてバッテリー残量検知通信が行われると、ステップＳ４０６へ進み、残量検知通信間隔タイマーが開始される。残量検知通信間隔タイマーは、図４のステップＳ３０６にて決定されたタイマーである。残量検知通信間隔タイマーはカメラ側システムコントローラ２２３のよって制御される。
【０１０７】
ステップＳ４０６にて残量検知通信間隔タイマーが開始されると、ステップＳ４０７にてバッテリー残量の判定が行われる。ステップＳ４０７のバッテリー容量判定では、前述したステップＳ１０５、ステップＳ２０３、ステップＳ３０８と同様に、ステップＳ３０７にて決定された有負荷ＢＣ開始残量閾値とステップＳ４０５でバッテリー側システムコントローラ３０４と通信して得られたバッテリー残量値とを比較することで行われる。
【０１０８】
ステップＳ４０７にてバッテリー残量の判定が行われ、バッテリー残量値が有負荷ＢＣ開始残量閾値より多いと判定されると、ステップＳ４０８へ進み、残量検知通信間隔タイマーがタイムアップしたか否かが判定される。残量検知通信間隔タイマーがタイムアップしたか否かの判定は、カメラ側システムコントローラ２２３によって判定される。
【０１０９】
ステップＳ４０８にて残量検知通信間隔タイマーがタイムアップしたと判定されると、ステップＳ４０９へ進み、第２レリーズスイッチ２３０がＯＦＦされたか否かを判定する。第２レリーズスイッチ２３０がＯＦＦされたか否かは、カメラ側システムコントローラ２２３によって判定される。
【０１１０】
ステップＳ４０９にて第２レリーズスイッチ２３０がＯＦＦされたと判定されると、バルブ撮影終了シーケンスへ移行する。バルブ撮影終了シーケンスはクイックリターンミラー２０２のダウン、フォーカルプレーンシャッタ２０８の後幕走行、イメージセンサ２１０からの信号読み出しなどの所定のシーケンスを行い、被写体（不図示）の撮影を終了する。
【０１１１】
ステップＳ４０３にて有負荷ＢＣが設定されていないと判定されると、ステップＳ４１１へ進み、有負荷ＢＣを行う。ステップＳ４１１の有負荷ＢＣは前述したステップＳ２０７と同様に行われ、ＤＣＤＣ回路２２４に接続されたダミーロード２３５に所定の電流値で電流を流し、このときのバッテリー電圧の降下量を検知することで、バッテリーの電圧値を検出する。検出された電圧値をカメラ側ＥＥＰＲＯＭ２２２に記憶された所定の電圧値と比較することで、カメラ２００が駆動可能な電圧か否かを判定する。
ステップＳ４１１にて有負荷ＢＣを行った結果、カメラ２００が駆動可能な電圧であると判定されると、ステップＳ４０５へ進み、バッテリー残量検知通信を行う。
【０１１２】
なお、ステップＳ４１１にて有負荷ＢＣを行った結果、カメラ２００が駆動可能な電圧でないと判定されると、ステップＳ４２１へ進み、撮影の禁止を行う。撮影駆動の禁止はカメラ側システムコントローラ２２３によって行われ、第１レリーズスイッチ２３１や第２レリーズスイッチ２３０等の操作部材が操作されても、信号を受け付けないようにする。
【０１１３】
ステップＳ４２１にて撮影駆動の禁止が行われると、ステップＳ４２２に進み、ユーザに対して撮影が禁止されている旨を伝える警告表示がなされる。警告表示は表示デバイス２２５に表示される。
ステップＳ４０７にてバッテリー残量の判定が行われ、バッテリー残量値が有負荷ＢＣ開始残量閾値Ｘより少ないと判定されると、ステップＳ４３１へ進み、有負荷ＢＣを行う。
【０１１４】
ステップＳ４３１にて有負荷ＢＣを行った結果、カメラ２００が駆動可能な電圧であると判定されると、ステップＳ４３２へ進み、残量検知通信間隔時間の再設定を行う。ステップＳ４３２では、ステップＳ３０６で設定された残量検知通信間隔時間から３０秒残算した値に再設定する。
【０１１５】
この残量検知通信間隔時間の再設定は、ステップＳ４０７にてバッテリー残量値が有負荷ＢＣ開始残量閾値より少ないと判定された事で、バッテリー残量が少なくなったと判断し、頻繁にバッテリーチェックが行えるようにするために行われる。すなわち、ステップＳ４０５のバッテリー残量検知通信で得られたバッテリー残量値を踏まえて、既に設定されていた残量検知通信間隔タイマーよりも短くなるように再設定を行う。
【０１１６】
ステップＳ４３２において残量検知通信間隔時間の再設定が行われると、ステップＳ４０８へ進み、残量検知通信間隔タイマーがタイムアップしたか否かの判定を行う。ここで用いられる残量検知通信間隔タイマーの値はステップＳ４３２にて再設定された値である。
【０１１７】
ステップＳ４３１において有負荷ＢＣを行った結果、カメラ２００が駆動可能な電圧でないと判定されると、ステップＳ４２１へ進み、撮影の禁止を行う。撮影駆動の禁止はカメラ側システムコントローラ２２３によって行われ、第１レリーズスイッチ２３１や第２レリーズスイッチ２３０等の操作部材が操作されても、信号を受け付けないようにする。
【０１１８】
ステップＳ４２１にて撮影駆動の禁止が行われると、前述と同様に警告を行う。
【０１１９】
本実施形態によれば、バッテリー残量に応じてバッテリー残量判定と電源電圧判定とのバッテリーチェックシーケンスを切替えるようにしたので、必要のないバッテリーチェックを省略することができ、また、バッテリーチェックにかかる電力消費量を低減することができた。
【０１２０】
本実施形態によれば、選択した撮影モードに応じて、バッテリー残量判定と電源電圧判定の動作を切替えるようにしたので、各々の撮影モードに適したバッテリーチェックシーケンスを設定できるようになり、無駄なバッテリーチェックを省くことができた。
【０１２１】
本実施形態によれば、長秒時撮影時でバッテリーチェックの間隔をバッテリーの劣化度に応じて切替えるようにしたので、バッテリー劣化度に対応するバッテリーチェック頻度を設定することができ、バッテリーチェックの正確性を向上させることができた。
【０１２２】
本実施形態によれば、長秒時撮影時でバッテリーチェックの間隔をバッテリー内部の温度に応じて切替えるようにしたので、バッテリー内部の温度に対応してバッテリーチェック頻度を設定することができ、バッテリーチェックの正確性を向上させることができた。
【０１２３】
本実施形態によれば、長秒時撮影時でのバッテリーチェックの間隔をバッテリー残量に応じて切替えるようにしたので、バッテリー残量に対応してバッテリーチェック頻度を設定することができ、無駄なバッテリーチェックを省くことができた。
【図面の簡単な説明】
【０１２４】
【図１】本発明の実施形態であるデジタルカメラのブロック図である。
【図２】第１の実施形態としてデジタルカメラの電源投入時のバッテリーチェック動作を示すフローチャートである。
【図３】第１の実施形態としてデジタルカメラの撮影動作時のバッテリーチェック動作を示すフローチャートである。
【図４】第２の実施形態としてデジタルカメラの電源投入時のバッテリーチェック動作を示すフローチャートである。
【図５】第２の実施形態としてデジタルカメラのバルブ撮影動作時のバッテリーチェック動作を示すフローチャートである。
【符号の説明】
【０１２５】
２００  デジタルカメラ
２２２  カメラ側ＥＥＰＲＯＭ
２２３  システムコントローラ
２２４  ＤＣＤＣ回路
２２５  表示デバイス
２２９  モード設定スイッチ
２３４  電源スイッチ
２３５  ダミーロード
３００  バッテリーユニット
３０１  バッテリー側ＥＥＰＲＯＭ
３０２  電流・電圧検出回路
３０３  温度検出回路
３０４  バッテリー側システムコントローラ
【図１】
2008203631.tif 000003
【図２】
2008203631.tif 000004
【図３】
2008203631.tif 000005
【図４】
2008203631.tif 000006
【図５】
2008203631.tif 000007